(57)【要約】      （修正有）【課題】光モジュールインターロックシステムを提供する。【解決手段】光モジュールインターロックシステムは、第１の波長及び第１の波長とは異なる第２の波長の光を送信可能な光ケーブル１０５と、第１の波長を光ケーブル１０５に提供可能な第１の光モジュール１２０と、光ケーブル１０５により送信される第１の波長を検出可能であり、第１の光モジュールと反対側の光ケーブルの端部に位置するセンサ１３０と、センサ１３０と通信するインターロック１３５と、を備え、インターロック１３５は、センサ１３０が第１の波長を検出しなかったときに、第２の波長が光ケーブルへ提供されないように、第２の光モジュール１２５を無効にすることが可能である。【選択図】図１
2014096580.tif 000002
【特許請求の範囲】
【請求項１】
光モジュールインターロックシステムであって、
第１の波長及び前記第１の波長とは異なる第２の波長の光を送信可能な光ケーブルと、
前記第１の波長を前記光ケーブルに提供可能な第１の光モジュールと、
前記第２の波長を前記光ケーブルに提供可能な第２の光モジュールと、
前記光ケーブルにより送信される前記第１の波長を検出可能であり、前記第１の光モジュールと反対側の前記光ケーブルの端部に位置するセンサと、
前記センサと通信するインターロックと、を備え、
前記インターロックは、前記センサが前記第１の波長を検出しなかったときに、前記第２の波長が前記光ケーブルへ提供されないように、前記第２の光モジュールを無効にすることが可能である、光モジュールインターロックシステム。
【請求項２】
前記インターロックは、さらに、前記センサが前記光ケーブルにより送信される前記第１の波長を検出するときに、前記第２の波長が前記光ケーブルに提供されるように、前記第２の光モジュールを有効にすることが可能である、請求項１に記載の光モジュールインターロックシステム。
【請求項３】
前記センサは、さらに、前記センサが前記光ケーブルにより送信される前記第１の波長を検出しないときに、フェイルデータを前記インターロックへ送信することが可能である、請求項１に記載の光モジュールインターロックシステム。
【請求項４】
前記インターロックは、前記センサからのフェイルデータの受信と同時及び前記センサからの前記フェイルデータを受信してからの一方又は両方で、前記第２の光モジュールを無効にする請求項３に記載の光モジュールインターロックシステム。
【請求項５】
前記第１の波長及び前記第２の波長を分離する、
前記第１の波長を前記センサへ向ける、
前記第１の波長を前記光ケーブルへ向ける、
前記第２の波長を前記光ケーブルへ向ける、
前記光ケーブルにより送信される前記第２の波長を投影光学系へ向ける、
ことの一又はそれ以上を可能にする少なくとも１つのミラーをさらに備える請求項１に記載の光モジュールインターロックシステム。
【請求項６】
前記少なくとも１つのミラーは、ホットミラー、コールドミラー、及びダイクロイックミラーの一又はそれ以上を含む、請求項５に記載の光モジュールインターロックシステム。
【請求項７】
前記投影光学系は、デジタルマイクロミラーデバイス（ＤＭＤ）、投影レンズ、ミラー、フィルタ及びプリズムの一又はそれ以上を含む、請求項５に記載の光モジュールインターロックシステム。
【請求項８】
前記第１の光モジュールは、赤外光モジュールを含み、前記第１の波長は、赤外波長を含む、請求項１に記載の光モジュールインターロックシステム。
【請求項９】
前記第２の光モジュールは、レーザ光モジュールを含み、前記第２の波長は、レーザ光を含む、請求項１に記載の光モジュールインターロックシステム。
【請求項１０】
前記光ケーブルにより送信される前記第２の波長の光を均一にすることが可能なインテグレータをさらに備える請求項１に記載の光モジュールインターロックシステム。
【請求項１１】
前記センサは、前記光ケーブルにより送信される前記第１の波長が閾値強度を下回るときに、前記第１の波長を検出しないことが可能である請求項１に記載の光モジュールインターロックシステム。
【請求項１２】
前記インターロック及び前記センサの一方又は両方は、さらに、閾値強度値を記憶可能であり、前記光ケーブルにより送信される前記第１の波長の強度を前記閾値強度値と比較可能である請求項１１に記載の光モジュールインターロックシステム。
【請求項１３】
前記光ケーブルは、さらに、前記第１の波長の光及び前記第２の波長の光を同時に送信することが可能である請求項１に記載の光モジュールインターロックシステム。
【請求項１４】
前記インターロックは、前記第２の光モジュールへの電力を遮断することが可能なスイッチ、及び前記第２の光モジュールへの電力を切ることが可能なコンピュータモジュールの一又はそれ以上を含む請求項１に記載の光モジュールインターロックシステム。
【請求項１５】
前記インターロックは、前記第２の波長の光の少なくとも一部を前記光ケーブルへの送信を防ぐことにより、前記第２の光モジュールを無効にする請求項１に記載の光モジュールインターロックシステム。
【請求項１６】
前記光ケーブルにより送信される前記第２の波長の光を均一にすることができる少なくとも１つのインテグレータをさらに備える請求項１に記載の光モジュールインターロックシステム。
【請求項１７】
前記光ケーブルを含む複数の光ケーブルであって、前記複数の光ケーブルのそれぞれは、前記第１の波長の光及び前記第１の波長の光とは異なる各波長を送信することが可能である、複数の光ケーブルと、
前記第１の光モジュールを含む複数の第１の光モジュールであって、前記複数の第１の光モジュールのそれぞれは、前記第１の波長を前記複数の光ケーブルの各光ケーブルに少なくとも提供することが可能である、複数の第１の光モジュールと、
前記第２の光モジュールを含む複数の第２の光モジュールであって、前記複数の第２の光モジュールのそれぞれは、前記各波長を前記複数の光ケーブルの関連する光ケーブルに少なくとも提供することが可能である、複数の第２の光モジュールと、をさらに備え、
前記センサは、さらに、前記複数の光ケーブルの一又はそれ以上により送信される前記第１の波長を検出することが可能であり、
前記インターロックは、さらに、前記センサが前記第１の波長を検出しないときに、各波長の少なくとも１つが前記複数の光ケーブルの少なくとも１つに提供されないように、前記複数の第２の光モジュールの少なくとも１つを無効にすることが可能である、請求項１に記載の光モジュールインターロックシステム。
【請求項１８】
前記センサを含む複数のセンサであって、前記複数のセンサのそれぞれは、前記複数の光ケーブルの一又はそれ以上により送信される前記第１の波長を検出することが可能である、複数のセンサをさらに備え、
前記複数のセンサと通信する前記インターロックは、さらに、前記複数のセンサの少なくとも１つが前記第１の波長を検出しないとき、少なくとも１つの各波長が前記複数の光ケーブルの少なくとも１つに提供されないように、前記複数の第２の光モジュールの少なくとも１つを無効にすることが可能である、請求項１７に記載の光モジュールインターロックシステム。
【請求項１９】
前記インターロックを含む、前記複数のセンサと一対一の関係の複数のインターロックをさらに備え、
前記複数のインターロックのそれぞれは、前記複数のセンサの少なくとも１つが前記第１の波長を検出しないとき、少なくとも１つの各波長が前記複数の光ケーブルの少なくとも１つに提供されないように、前記複数の第２の光モジュールの少なくとも１つを無効にすることが可能である、請求項１８に記載の光モジュールインターロックシステム。
【請求項２０】
前記複数のセンサの１つが、各関連する光ケーブルにより送信される前記第１の波長を検出しないとき、前記複数のインターロックの関連する１つは、前記各波長が各関連する光ケーブルへ提供されないように、関連する第２の光モジュールを無効にする、請求項１９に記載の光モジュールインターロックシステム。
【発明の詳細な説明】
【技術分野】
【０００１】
本明細書は、一般的な光モジュールシステムに関し、特に、光モジュールインターロックシステムに関するものである。
【背景技術】
【０００２】
いくつかの光モジュールシステム、例えば、レーザ−ベースの投影システムの光モジュールシステムでは、光の不慮の放出は、人間及び／又は他のシステム構成要素への深刻なリスクをもたらす。例えば、レーザ放射の放出は、人間の肌又は眼に有害である。また、システム構成要素は、正常に機能しない又は突発故障を被るこのような露出に持ちこたえるように設計されていない。
【発明の概要】
【発明が解決しようとする課題】
【０００３】
光ケーブル（例えば、光ファイバーケーブル）を通じて光モジュールから与えられる移動先の光学構成要素（例えば、投影構成要素）での光モジュールシステムの動作時に生じうる危険な状況の例は、光ケーブルのいずれかの端部が、光モジュール又は光学構成要素のいずれかから切断したときに、光モジュールシステムの動作時の光ケーブルの破損、光モジュールからの光ケーブルの切断、光学構成要素からの光ケーブルの切断、及び光モジュールの予想外の出力上昇を含む。
【課題を解決するための手段】
【０００４】
一つの実施によれば、第１の波長及び前記第１の波長とは異なる第２の波長の光を送信可能な光ケーブルと、前記第１の波長を前記光ケーブルに提供可能な第１の光モジュールと、前記第２の波長を前記光ケーブルに提供可能な第２の光モジュールと、前記光ケーブルにより送信される前記第１の波長を検出可能であり、前記第１の光モジュールと反対側の前記光ケーブルの端部に位置するセンサと、前記センサと通信するインターロックと、を備える光モジュールインターロックシステムを提供する。前記インターロックは、前記センサが前記第１の波長を検出しなかったときに、前記第２の波長が前記光ケーブルへ提供されないように、前記第２の光モジュールを無効にすることが可能である。
【０００５】
別の実施によれば、前記インターロックは、さらに、前記センサが前記光ケーブルにより送信される前記第１の波長を検出するときに、前記第２の波長が前記光ケーブルに提供されるように、前記第２の光モジュールを有効にすることが可能である。
【０００６】
別の実施によれば、前記センサは、さらに、前記センサが前記光ケーブルにより送信される前記第１の波長を検出しないときに、フェイルデータを前記インターロックへ送信することが可能である。関連する実施によれば、前記インターロックは、前記センサからのフェイルデータの受信と同時及び前記センサからの前記フェイルデータを受信してからの一方又は両方で、前記第２の光モジュールを無効にする。
【０００７】
別の実施によれば、前記光モジュールインターロックシステムは、前記第１の波長及び前記第２の波長を分離する、前記第１の波長を前記センサへ向ける、前記第１の波長を前記光ケーブルへ向ける、前記第２の波長を前記光ケーブルへ向ける、前記光ケーブルにより送信される前記第２の波長を投影光学系へ向ける、ことの一又はそれ以上を可能にする少なくとも１つのミラーをさらに備える。関連する実施によれば、前記少なくとも１つのミラーは、ホットミラー、コールドミラー、及びダイクロイックミラーの一又はそれ以上を含む。別の関連する実施によれば、前記投影光学系は、デジタルマイクロミラーデバイス（ＤＭＤ）、投影レンズ、ミラー、フィルタ及びプリズムの一又はそれ以上を含む。
【０００８】
別の実施によれば、前記第１の光モジュールは、赤外光モジュールを含み、前記第１の波長は、赤外波長を含む。
【０００９】
別の実施によれば、前記第２の光モジュールは、レーザ光モジュールを含み、前記第２の波長は、レーザ光を含む。
【００１０】
別の実施によれば、前記光モジュールインターロックシステムは、前記光ケーブルにより送信される前記第２の波長の光を均一にすることが可能なインテグレータをさらに備える。
【００１１】
別の実施によれば、前記センサは、前記光ケーブルにより送信される前記第１の波長が閾値強度を下回るときに、前記第１の波長を検出しないことが可能である。関連する実施によれば、前記インターロック及び前記センサのいずれか又は両方は、さらに、閾値強度値を記憶可能であり、前記光ケーブルにより送信される前記第１の波長の強度を前記閾値強度値と比較可能である。
【００１２】
別の実施によれば、前記光ケーブルは、さらに、前記第１の波長の光及び前記第２の波長の光を同時に送信することが可能である。
【００１３】
別の実施によれば、前記インターロックは、前記第２の光モジュールへの電力を遮断することが可能なスイッチ、及び前記第２の光モジュールへの電力を切ることが可能なコンピュータモジュールの一方又は両方を含む。
【００１４】
別の実施によれば、前記インターロックは、前記第２の波長の光の少なくとも一部を前記光ケーブルへの送信を防ぐことにより、前記第２の光モジュールを無効にする。
【００１５】
別の実施によれば、前記光モジュールインターロックシステムは、前記光ケーブルにより送信される前記第２の波長の光を均一にすることができる少なくとも１つのインテグレータをさらに備える。
【００１６】
別の実施によれば、前記光モジュールインターロックシステムは、前記光ケーブルを含む複数の光ケーブルであって、前記複数の光ケーブルのそれぞれは、前記第１の波長の光及び前記第１の波長の光とは異なる各波長を送信することが可能である、複数の光ケーブルと、前記第１の光モジュールを含む複数の第１の光モジュールであって、前記複数の第１の光モジュールのそれぞれは、前記第１の波長を前記複数の光ケーブルの各光ケーブルに少なくとも提供することが可能である、複数の第１の光モジュールと、前記第２の光モジュールを含む複数の第２の光モジュールであって、前記複数の第２の光モジュールのそれぞれは、前記各波長を前記複数の光ケーブルの関連する光ケーブルに少なくとも提供することが可能である、複数の第２の光モジュールと、をさらに備え、前記センサは、さらに、前記複数の光ケーブルの一又はそれ以上により送信される前記第１の波長を検出することが可能である。この実施によれば、前記インターロックは、さらに、前記センサが前記第１の波長を検出しないときに、各波長の少なくとも１つが前記複数の光ケーブルの少なくとも１つに提供されないように、前記複数の第２の光モジュールの少なくとも１つを無効にすることが可能である。
【００１７】
関連する実施によれば、前記光モジュールインターロックシステムは、前記センサを含む複数のセンサであって、前記複数のセンサのそれぞれは、前記複数の光ケーブルの一又はそれ以上により送信される前記第１の波長を検出することが可能である、複数のセンサをさらに備える。この実施によれば、前記複数のセンサと通信する前記インターロックは、さらに、前記複数のセンサの少なくとも１つが前記第１の波長を検出しないとき、少なくとも１つの各波長が前記複数の光ケーブルの少なくとも１つに提供されないように、前記複数の第２の光モジュールの少なくとも１つを無効にすることが可能である。
【００１８】
関連する実施によれば、前記光モジュールインターロックシステムは、前記インターロックを含む、前記複数のセンサと一対一の関係の複数のインターロックをさらに備える。前記複数のインターロックのそれぞれは、前記複数のセンサの少なくとも１つが前記第１の波長を検出しないとき、少なくとも１つの各波長が前記複数の光ケーブルの少なくとも１つに提供されないように、前記複数の第２の光モジュールの少なくとも１つを無効にすることが可能である。関連する実施によれば、前記複数のセンサの１つが、各関連する光ケーブルにより送信される前記第１の波長を検出しないとき、前記複数のインターロックの関連する１つは、前記各波長が各関連する光ケーブルへ提供されないように、関連する第２の光モジュールを無効にする。
【図面の簡単な説明】
【００１９】
本明細書に記載される各種実施のよりよい理解のため、及びそれらがどのように実行されるかをより明確に示すために、例示のためのみに、添付の図面が参照される。
【図１】図１は、制限されない実施に係る光モジュールインターロックシステム１００を示す。
【図２】図２は、制限されない実施に係る光モジュールインターロックシステム２００を示す。
【図３】図３は、制限されない実施に係る光モジュールインターロックシステム３００を示す。
【図４】図４は、制限されない実施に係る光モジュールインターロックシステム４００を示す。
【図５】図５は、制限されない実施に係る光モジュールインターロックシステム５００を示す。
【図６】図６は、制限されない実施に係る光モジュールインターロックシステム６００を示す。
【図７】図７は、制限されない実施に係る光モジュールインターロックシステム７００を示す。
【図８】図８は、制限されない実施に係る光モジュールインターロックシステム８００を示す。
【図９】図９は、制限されない実施に係る光モジュールインターロックシステム９００を示す。
【図１０】図１０は、制限されない実施に係る光モジュールインターロックシステム１０００を示す。
【図１１】図１１は、制限されない実施に係る光モジュールインターロックシステム１１００を示す。
【図１２】図１２は、制限されない実施に係る光モジュールインターロックシステム１２００を示す。
【発明を実施するための形態】
【００２０】
“光ケーブル”の用語は、本明細書において、光ファイバケーブルのような、第１の波長の光及び第２の波長の光の送信に適したケーブル又は結合を示すことを留意する。また、“光ケーブル”とは、説明されるシステムにおける第１の波長の光及び第２の波長の光の送信に適した単一の光ファイバ及び任意の数の光ファイバを含みうる。“光ケーブル”が一以上の光ファイバを含むとき、“光ケーブル”もまた“束（ｂｕｎｄｌｅ）”として示されうる。
【００２１】
図１は、制限されない実施に係る光モジュールインターロックシステム１００を示す。光モジュールインターロックシステム１００は、第１の波長１１０及び第１の波長１１０とは異なる第２の波長１１５として示される光を伝送可能な光ケーブル１０５を含む。光モジュールインターロックシステム１００は、また、第１の波長１１０を光ケーブル１０５に提供可能な第１の光モジュール１２０と、第２の波長１１５を光ケーブル１０５に提供可能な第２の光モジュール１２５と、を含む。光モジュールインターロックシステム１００は、さらに、光ケーブル１０５により送信される第１の波長１１０を検出可能であり、光ケーブル１０５の反対端に位置するセンサ１３０と、センサ１３０と通信するインターロック１３５と、を含む。インターロック１３５は、センサ１３０が第１の波長１１０を検出しなかったときに、第２の波長１１５が光ケーブル１０５へ提供されないように第２の光モジュール１２５を無効にすることが可能である。
【００２２】
光ケーブル１０５は、第１の波長１１０及び第２の波長１１５の光を伝送することが可能である。第２の波長１１５は、第１の波長１１０とは異なる波長である。いくつかの実施によれば、第１の波長１１０の光は、赤外線のような少なくとも１つの非可視光波長を含みうる。なお、“非可視光波長”として本明細書で用いられる用語は、可視でない、人間の眼により検出又は認識できない波長の光を示す。
【００２３】
いくつかの実施によれば、第１の波長１１０及び第２の波長１１５は、光ケーブル１０５により同時に伝送される。
【００２４】
第１の波長１１０の光は、第１の光モジュール１２０により光ケーブル１０５へ提供される。第２の波長１１５の光は、第２の光モジュール１２５により光ケーブル１０５へ提供される。いくつかの実施によれば、光ケーブル１０５により送信される第２の波長１１５の光は、さらに、画像を投影するための投影光学系、レンズ、プリズム等（例えば、以下に示す図６の光学系６５５参照）のような行先光学系へ送信される。
【００２５】
なお、第１の光モジュール１２０及び第２の光モジュール１２５のそれぞれにより提供される光は、複数の波長を含みうる。例えば、第２の光モジュール１２５により提供される光は、第２の波長１１５を含む３つの波長の光を含みうる。いくつかの実施によれば、第１の波長１１０の光及び第２の波長１１５の光のそれぞれの複数の波長は、互いに異なっている。
【００２６】
図１は、光ケーブル１０５の反対端に互いに関連して位置する第１の光モジュール１２０及び第２の光モジュール１２５を示すが、いくつかの実施によれば、第１の光モジュール１２０及び第２の光モジュール１２５は、光ケーブル１０５の同一端に互いに関連して位置付けられてもよい。
【００２７】
いくつかの実施によれば、第１の光モジュール１２０は、非可視光波長の光を光ケーブル１０５へ提供可能な、例えば、赤外線放射の形態の第１の光波長１１０の光を提供可能な赤外光モジュールのような、光モジュールを含む。いくつかの実施によれば、第２の光モジュール１２５は、レーザモジュールを含み、第２の波長１１５の光は、レーザ光を含む。
【００２８】
明確化のために、光ケーブル１０５により送信される第１の波長１１０は、送信された第１の波長１１０’として本明細書において示され、光ケーブル１０５により伝送される第２の波長１１５は、送信された第２の波長１１５’として本明細書において示される。
【００２９】
図１は、第１の波長１１０とは異なる方法で、送信された第１の波長１１０’を示すが、いくつかの実施によれば、第１の波長１１０’の特性は、第１の波長１１０の特性と少なくとも実質的に同様である（例えば、第１の波長１１０及び送信された第１の波長１１０’は、少なくとも実質的に同一波長である）。同様に、いくつかの実施によれば、第２の波長１１５’の特性は、第２の波長１１５の特性と少なくとも実質的に同様である（例えば、第２の波長１１５及び送信された第２の波長１１５’は、少なくとも実質的に同一波長である）。
【００３０】
センサ１３０は、第１の光モジュール１２０とは反対の光ケーブル１０５の端部に位置付けられ、送信された第１の波長１１０’を受信及び検出可能である。いくつかの実施によれば、センサ１３０は、送信された第１の波長１１０’に対するセンサ１３０の位置の理由により、送信された第１の波長１１０’を少なくとも部分的に検出可能である。いくつかの実施によれば、送信された第１の波長１１０’は、光ケーブル１０５から間接的にセンサ１３０により検出される。例えば、送信された第１の波長１１０’は、送信された第１の波長１１０’をセンサ１３０へ向けることができる一又はそれ以上のミラーを用いて、センサ１３０に向けられうる。センサ１３０は、任意のデバイス、又は送信された第１の波長１１０’の検出のために適切なデバイスを含む。例えば、センサ１３０は、発光ダイオード（ＬＥＤ）光センサ、電荷結合素子（ＣＣＤ）、赤外線センサ及びフォトダイオードを含みうる。
【００３１】
センサ１３０と通信する（通信経路１４０により表される）インターロック１３５は、センサ１３０が、送信された第１の波長１１０’を検出しないときに、第２の波長１１５が光ケーブル１０５へ提供されないように、第２の光モジュール１２５を無効にする。インターロック１３５は、任意の適切なデバイス、又は第２の光モジュール１２５を無効にすることができるデバイスを含む。例えば、インターロック１３５は、第２の光モジュール１２５への電力を遮断するスイッチ、電源を切る、“オフライン”にする、又は第２の光モジュール１２５を一時的に及び／又は長期間動作不能にするコンピュータモジュールを含みうる。
【００３２】
いくつかの実施によれば、センサ１３０は、送信された第１の波長１１０’が閾値強度を下回るときに、送信された第１の波長１１０’を検出しない。例えば、光ケーブル１０５が破損した（例えば、一又はそれ以上の光ファイバの破損）場合、第１の波長１１０の光の一部は、なおも、送信された第１の波長１１０’として光ケーブル１０５により送信されてもよい。この場合、送信された第１の波長１１０’の全体強度は、第１の波長１１０の初期強度よりも低い。しかし、送信された第１の波長１１０’は、なおもセンサ１３０へ検出可能であってもよい。これらが最適な動作条件ではないため、このような状況では、第２の光モジュール１２５を無効にするためにインターロック１３５と関与することが望まれる。インターロック１３５が第２の光モジュール１２５を無効及び／又は有効にするために、送信された第１の波長１１０’を検出しないためにセンサ１３０の閾値（例えば、最小）強度を達成することは、最適でない、危険な状況での光モジュールシステム全体を動作することに対する追加の動作確認を提供する。いくつかの実施によれば、インターロック１３５及びセンサ１３０の一方又は両方は、閾値強度値を（例えば、データベース又は同様の装置に）記憶することが可能であり、送信された第１の波長１１０’を、記憶された閾値強度値と比較することが可能である。
【００３３】
なお、本明細書で用いられる用語“強度”は、センサ１３０により検出され、人間の眼により検出、受信又は認識されない、送信された第１の波長１１０’の特性について説明するものである。
【００３４】
いくつかの実施によれば、インターロック１３５は、第２の波長１１５の光の少なくとも一部を光ケーブル１０５へ送信することを抑制することにより、第２の光モジュール１２５を無効にする。例えば、インターロック１３５は、光ケーブル１０５へ出力される、第２の波長１１５の光の少なくとも一部をブロックするシャッター機構を含むことができる。その結果、第２の光モジュール１２５は“オン”を維持するが、インターロック１３５は、例えば、第２の光モジュール１２５が未だ“オン”であるときに第２の光モジュール１２５を光ケーブル１０５から切断することにより、光ケーブル１０５へ提供される第２の波長１１５の光の一部を抑制し、放出される第２の波長１１５の全体強度を低減する。
【００３５】
いくつかの実施によれば、インターロック１３５は、例えば、第２の光モジュール１２５を無効にするために電源を切る“ターン−オフ”又は他の装置を起動するコマンドを送信する（例えば、上述したシャッター機構等）ことにより、第２の光モジュール１２５を遠隔的に無効にすることが可能である。いくつかの実施によれば、インターロック１３５は、有線の電気的及び／又は機械的結合を通じて、第２の光モジュールを無効にすることが可能である。いくつかの実施によれば、インターロック１３５は、電源（図示せず）から第２の光モジュール１２５への電力を遮断することができる。
【００３６】
図１は、別々のユニット又はモジュールとしてのインターロック１３５及び第２の光モジュール１２５を示すが、いくつかの実施によれば、インターロック１３５及び第２の光モジュール１２５は、単一のユニット及び／又はモジュールを含みうる。
【００３７】
インターロック１３５は、通信経路１４０を通じてセンサ１３０と通信する。いくつかの実施によれば、インターロック１３５及びセンサ１３０は、互いに双方向で通信する（つまり、インターロック１３５は、データをセンサ１３０へ通信又は送信することができ、逆に、センサ１３０は、データをインターロック１３５へ通信又は送信することができる。）。いくつかの実施によれば、インターロック１３５とセンサ１３０との通信は、一方向である。
【００３８】
しかし、インターロック１３５とセンサ１３０との通信の任意の適切な手法が検討される。例えば、インターロック１３５は、センサ１３０と離れており、センサ１３０と無線で通信することができる。別の例では、インターロック１３５及びセンサ１３０は、有線接続及び／又は機械的接続を通じて接続されうる。さらに、図１は、インターロック１３５とセンサ１３０との通信のための通信経路を示すが、通信経路１４０は、インターロック１３５とセンサ１３０との通信に適した一又はそれ以上の通信経路のいずれか１つを含むことが検討される。例えば、通信経路１４０は、所望するような有線及び／又は無線通信の組み合わせを含みうる。
【００３９】
同様に、いくつかの実施によれば、インターロック１３５は、第２の光モジュール１２５と通信する（通信経路１７０により表される）。いくつかの実施によれば、インターロック１３５及び第２の光モジュール１２５は、互いに双方向で通信する（つまり、インターロック１３５は、データを第２の光モジュール１２５へ通信又は送信することができ、逆に、第２の光モジュール１２５は、データをインターロック１３５へ通信又は送信することができる）。いくつかの実施によれば、インターロック１３５と第２の光モジュール１２５との通信は、一方向である。
【００４０】
しかし、インターロック１３５と第２の光モジュール１２５との通信の任意の適切な手法が検討される。例えば、インターロック１３５は、第２の光モジュール１２５と離れており、第２の光モジュール１２５と無線で通信することができる。別の例では、インターロック１３５及び第２の光モジュール１２５は、有線接続及び／又は機械的接続を通じて接続されうる。さらに、図１は、インターロック１３５と第２の光モジュール１２５との通信のための特定の経路を示すが、通信経路１７０は、インターロック１３５と第２の光モジュール１２５との通信に適した一又はそれ以上の通信経路のいずれか１つを含むことが検討される。例えば、通信経路１７０は、所望するような有線及び／又は無線通信の組み合わせを含みうる。
【００４１】
いくつかの実施によれば、インターロック１３５は、さらに、センサ１３０が、送信された第１の波長１１０’を検出するとき、第２の波長１１５が光ケーブル１０５へ提供されるように、第２の光モジュール１２５を有効にすることができる。
【００４２】
例えば、インターロック１３５は、例えば、第２の光モジュール１２５及び／又は第１の光モジュール１２０への光ケーブル１０５の適切な接続、又はセンサ１３０の適切な動作のような特定の条件が合致しないときに、第２の光モジュール１２５の動作のチェックとして機能することができる。例えば、センサ１３０が正常に機能せず、送信された第１の波長１１０’を検出できない又は検出しない場合、インターロック１３５は、第２の光モジュール１２５を無効にする。センサ１３０が、送信された第１の波長１１０’検出したとき、光ケーブル１０５と第１の光モジュール１２０との適切な接続を示すことができ、インターロック１３５は、第２の光モジュール１２５が、第２の波長１１５を光ケーブル１０５へ提供可能にする。
【００４３】
別の例では、インターロック１３５は、インターロックが以前に第２の光モジュール１２５を向こうにした後に、光ケーブル１０５への第２の光モジュール１２５による第２の波長１１５の提供を再開することができる。
【００４４】
次に図２に着目すると、図２は、制限されない実施に係る光モジュールインターロックシステム２００を示し、図１と同様の符号を有する構成要素を含み、しかし、始まりの数字が“１”ではなく“２”である。例えば、光モジュールインターロックシステム２００は、光ケーブル１０５と同様の光ケーブル２０５を含む。ここで、光モジュールインターロックシステム２００は、第１の光モジュール２２０と、第２の光モジュール２２５と、センサ２３０と、インターロック２３５と、をさらに含む。インターロック２３５は、通信経路２４０を通じてセンサ２３０と通信し、通信経路２７０を通じて第２の光モジュール２２５と通信する。
【００４５】
システム２００では、センサ２３０は、さらに、センサ２３０が、送信された第１の波長２１０’を検出しないときに、フェイルデータ２４５をインターロック２３５へ送信することが可能である。フェイルデータ２４５は、送信された第１の波長２１０’を検出するために、センサ２３０の失敗を示す任意のデータ又は情報を含む。上述したように、センサ２３０は、結果として、例えば、センサ２３０の機能不全及び／又は光ケーブル２０５と第１の光モジュール２２０との不適切な接続のように、送信された第１の波長２１０’を検出することを失敗する。
【００４６】
いくつかの実施によれば、インターロック２３５は、センサ２３０からのフェイルデータ２４５を受信次第、第２の光モジュール２２５を無効にする。いくつかの実施によれば、インターロック２３５は、フェイルデータ２４５の受信と同時、フェイルデータ２４５を受信してから等の一又はそれ以上で、第２の光モジュール２２５を無効にする。
【００４７】
光モジュールインターロックシステム及び周囲の光モジュールシステムの構成要素に応じて、説明された光モジュールインターロックシステムについての本明細書のセンサ、第１の光モジュール及び第２の光モジュールは、各波長を間接的に検出、提供又は送信する。このような実施では、少なくとも１つのミラー又は他の適切な装置は、各波長を、説明された光モジュールインターロックシステムの特定の構成要素へ向けるために用いられうる。なお、本明細書で説明される用語“ミラー”は、各波長を分離する及び／又は方向づけることができる任意の適切な光学素子を含むことを留意する。フィルタ、ダイクロイックミラー及び同様の光学素子は、また、本明細書で説明されるような用語“ミラー”の範囲内として検討される。さらに、説明された“ミラー”は、すべての波長を含まなくてもよいが、他の波長を反射する一方で、いくつかの波長を伝達することが可能である。
【００４８】
図３に着目すると、制限されない実施に係る光モジュールインターロックシステム３００を示し、図１と同様の符号を有する構成要素を含み、しかし、始まりの数字が“１”ではなく“３”である。例えば、光モジュールインターロックシステム３００は、光ケーブル１０５と同様の光ケーブル３０５を含む。光モジュールインターロックシステム３００は、第１の光モジュール３２０と、第２の光モジュール３２５と、センサ３３０と、インターロック３３５と、をさらに含む。インターロック３３５は、通信経路３４０を通じてセンサ３３０と通信し、通信経路３７０を通じて第２の光モジュール３２５と通信する。
【００４９】
図３に示すように、センサ３３０は、送信された第１の波長３１０’の経路の外側に位置付けられる。第２の光モジュール３２５及びセンサ３３０と同じ側の光ケーブル３０５の端部に位置付けられ、送信された第１の波長３１０’及び第２の波長３１５を分離することが可能なミラー３５０は、送信された第１の波長３１０’をセンサ３３０へ向けるために用いられる。例えば、ミラー３５０は、第２の波長３１５を送信し、センサ３３０により検出するための送信された波長３１０’を反射することを可能とすることができる。
【００５０】
次に、図４に着目すると、図４は、制限されない実施に係る光モジュールインターロックシステム４００を示し、図１と同様の符号を有する構成要素を含み、しかし、始まりの数字が“１”ではなく“４”である。例えば、光モジュールインターロックシステム４００は、光ケーブル１０５と同様の光ケーブル４０５を含む。光モジュールインターロックシステム４００は、第１の光モジュール４２０と、第２の光モジュール４２５と、センサ４３０と、インターロック４３５と、をさらに含む。インターロック４３５は、通信経路４４０を通じてセンサ４３０と通信し、通信経路４７０を通じて第２の光モジュール４２５と通信する。
【００５１】
光モジュールインターロックシステム４００では、ミラー４５０は、第１の光モジュール４２０との光ケーブル４０５の同一端、かつ第２のモジュール４２５及びセンサ４３０と反対側の光ケーブル４０５の端部に位置付けられる。ミラー４５０は、送信された第２の波長４１５’及び第１の波長４１０を分離し、第１の波長４１０を光ケーブル４０５へ向けることが可能である。例えば、ミラー４５０は、送信された第２の波長４１５’を送信し、光ケーブル４０５による送信のために波長４１０を反射することが可能でありうる。
【００５２】
次に、図５に着目すると、図５は、制限されない実施に係る光モジュールインターロックシステム５００を示し、図１と同様の符号を有する構成要素を含み、しかし、始まりの数字が“１”ではなく“５”である。例えば、光モジュールインターロックシステム５００は、光ケーブル１０５と同様の光ケーブル５０５を含む。光モジュールインターロックシステム５００は、第１の光モジュール５２０と、第２の光モジュール５２５と、センサ５３０と、インターロック５３５と、をさらに含む。インターロック５３５は、通信経路５４０を通じてセンサ５３０と通信し、通信経路５７０を通じて第２の光モジュールと通信する。
【００５３】
光モジュールインターロックシステム５００では、ミラー５５０は、第２の光モジュール５２５及びセンサ５３０との光ケーブル５０５の同一端、かつ第１のモジュール５２０と反対側の光ケーブル５０５の端部に位置付けられる。ミラー５５０は、送信された第１の波長５１０’及び第２の波長５１５を分離し、第２の波長５１５を光ケーブル５０５へ向けることが可能である。例えば、ミラー５５０は、送信された第１の波長５１０’を送信し、光ケーブル５０５による送信のために第２の波長５１５を反射することが可能でありうる。
【００５４】
次に、図６に着目すると、図６は、制限されない実施に係る光モジュールインターロックシステム６００を示し、図１と同様の符号を有する構成要素を含み、しかし、始まりの数字が“１”ではなく“６”である。例えば、光モジュールインターロックシステム６００は、光ケーブル１０５と同様の光ケーブル６０５を含む。光モジュールインターロックシステム６００は、第１の光モジュール６２０と、第２の光モジュール６２５と、センサ６３０と、インターロック６３５と、をさらに含む。インターロック６３５は、通信経路６４０を通じてセンサ６３０と通信し、通信経路６７０を通じて第２の光モジュール６２５と通信する。
【００５５】
光モジュールインターロックシステム６００では、ミラー６５０は、第１の光モジュール６２０と同じ側の光ケーブル６０５の端部に位置付けられ、光ケーブル６０５の端部の反対側、第２の光モジュール６２５及びセンサ６３０が位置付けられる。ミラー６５０は、第１の波長６１０及び送信された第２の波長６１５’を分離し、第２の波長６１５’を光学素子６５５へ向けることが可能である。例えば、ミラー６５０は、第１の波長６１０を送信し、送信された第２の波長６１５’を反射することが可能でありうる。
【００５６】
光学素子６５５は、任意の適切なシステム、装置及び投影光学素子のような特定の実施のための構成要素を含む。例えば、光学素子６５５は、デジタルマイクロミラーデバイス（ＤＭＤ）、投影レンズ、ミラー、フィルタ及びプリズムの一又はそれ以上を含みうる。
【００５７】
図３から６は、各波長を方向付け、かつ分離するために１つのミラーを示すが、任意の適切な数のミラー及び組み合わせを用いることができる。
【００５８】
例えば、図７は、制限されない実施に係る光モジュールインターロックシステム７００を示し、図１と同様の符号を有する構成要素を含み、しかし、始まりの数字が“１”ではなく“７”である。例えば、光モジュールインターロックシステム７００は、光ケーブル１０５と同様の光ケーブル７０５を含む。光モジュールインターロックシステム７００は、第１の光モジュール７２０と、第２の光モジュール７２５と、センサ７３０と、インターロック７３５と、をさらに含む。インターロック７３５は、通信経路７４０を通じてセンサ７３０と通信し、通信経路７７０を通じて第２の光モジュール７２５と通信する。
【００５９】
光モジュールインターロックシステム７００は、第１の波長７１０、送信された第１の波長７１０’、第２の波長７１５及び送信された第２の波長７１５’を方向付け、かつ分離するために２つのミラー７５０及び７６０を用いる。第２の光モジュール７２５及びセンサ７３０と同じ側の光ケーブル７０５の端部に位置付けられるミラー７５０は、送信された第１の波長７１０’及び第２の波長７１５を分離することが可能であり、送信された第１の波長７１０’をセンサ７３０へ向けることが可能である。例えば、ミラー７５０は、第２の波長７１５を送信し、送信された第１の波長７１０’を反射することが可能でありうる。第１の光モジュール７２０と同じ側の光ケーブル７０５の端部に位置付けられるミラー７６０は、第１の波長７１０及び送信された第２の波長７１５’を分離することが可能であり、送信された第２の波長７１５’を光学素子７５５へ向けることが可能である。例えば、ミラー７６０は、第１の波長７１０を送信し、送信された第２の波長７１５’を反射することが可能でありうる。
【００６０】
特定の光モジュールシステムの所望の特性及び構成に基づいて、説明された光モジュールインターロックシステムで採用される１つのミラー又は複数のミラーは、例えば、ホットミラー、コールドミラー及びダイクロイックミラーの一又はそれ以上を含みうる。例えば、光モジュールインターロックシステム７００では、ミラー７５０は、コールドミラー（つまり、赤外域の波長の光は反射されるが、可視光は透過する。これは、波長７１０’が赤外光を含むことを仮定する。）を含むことができ、ミラー７６０は、ホットミラー（つまり、可視波長の光は反射されるが、赤外光は透過する。これは、波長７１０が赤外光を含むことを仮定する。）を含むことができる。
【００６１】
追加の光学構成要素は、説明された光モジュールインターロックシステムの一部として採用されうることが検討される。例えば、図８は、制限されない実施に係る光モジュールインターロックシステム７００を示し、図１と同様の符号を有する構成要素を含み、しかし、始まりの数字が“１”ではなく“８”である。例えば、光モジュールインターロックシステム８００は、光ケーブル１０５と同様の光ケーブル８０５を含む。光モジュールインターロックシステムは、第１の光モジュール８２０と、第２の光モジュール８２５と、センサ８３０と、インターロック８３５（通信経路８４０を通じてセンサ８３０と通信し、通信経路８７０を通じて第２の光モジュール８７０と通信する）と、インテグレータ８６５と、をさらに含む。送信された第２の波長８１５’の均一化された光は、構成要素８７０によって表される。
【００６２】
インテグレータ８６５は、送信された第２の波長８１５’の光を均一にすることが可能な任意の適切な装置又は装置の組み合わせを含む。例えば、インテグレータ８６５は、プリズム、ライトパイプ及び集積ロッドを含みうる。
【００６３】
図８は、第１の光モジュール８２０と光ケーブル８０５との間に位置付けられるようにインテグレータ８６５を示しているが、いくつかの実施では、インテグレータ８６５は、第１の光モジュール８２０が光ケーブル８０５とインテグレータ８６５との間に位置付けられるように、第１の光モジュール８２０の後ろに位置付けられうる。
【００６４】
図１から８は、単一の光ケーブル、第１の光モジュール、第２の光モジュール、センサ及びインターロックを含む光モジュールインターロックシステムを示しているが、上述した構成要素の一又はそれ以上の組み合わせを含む多くの異なる構成もまた検討される。図９から１２は、上述した構成要素の一又はそれ以上が用いられる、説明された光モジュールインターロックシステムの実施の例を提供する。
【００６５】
図９に着目すると、図９は、制限されない実施に係る光モジュールインターロックシステム９００を示し、図１と同様の符号を有する構成要素を含み、しかし、始まりの数字が“１”ではなく“９”である。例えば、光モジュールインターロックシステム９００は、センサ１３０と同様のセンサ９３０を含む。
【００６６】
光モジュールインターロックシステム９００は、一括して光ケーブル９０５と示され、通常は１つの光ケーブル９０５である複数の光モジュール９０５ａ，９０５ｂ，９０５ｃを含み、各第１の波長９１０ａ，９１０ｂ，９１０ｃの光及び各第１の波長９１０ａ，９１０ｂ，９１０ｃとは異なる波長（各第２の波長９１５ａ，９１５ｂ及び９１５ｃ）の光を伝送可能である。各第１の波長９１０ａ，９１０ｂ，９１０ｃは、以下では、総称して第１の波長９１０として区別しないで示される。同様に、各第２の波長９１５ａ，９１５ｂ，９１５ｃは、以下では、総称して第２の波長９１５として区別しないで示される。第１の波長９２０ａ，９２０ｂ，９２０ｃ（一括して第１の光モジュール９２０として示され、通常は１つの第１の光モジュール９２０として示される）は、各第１の波長９２０ａ，９２０ｂ，９２０ｃを少なくとも各光ケーブル９０５ａ，９０５ｂ及び９０５ｃへ提供することが可能である。
【００６７】
第２の波長９２５ａ，９２５ｂ及び９２５ｃ（一括して第２の光モジュール９２５として示され、通常は１つの第２の光モジュール９２５として示される）は、各第２の波長９１５ａ，９１５ｂ及び９１５ｃを少なくとも光ケーブル９０５ａ，９０５ｂ及び９０５ｃの関連する光ケーブルへ提供することが可能である。
【００６８】
センサ９３０は、光ケーブル９０５ａ，９０５ｂ及び９０５ｃの一又はそれ以上により送信される、送信された第１の波長９１０’を検出することが可能である。いくつかの実施によれば、センサ９３０は、送信された第１の波長９１０ａ’，９１０ｂ’及び９１０ｃ’のそれぞれを検出することが可能である。例えば、システム９００では、センサ９３０は、センサ９３０が、送信された第１の波長９１０ａ’，９１０ｂ’及び９１０ｃ’のそれぞれを直接的に検出（例えば、受信）することができるように配置される。
【００６９】
通信経路９４０を通じてセンサ９３０と通信するインターロック９３５は、センサ９３０が、送信された第１の波長９１０’を検出しないとき、各波長９２５ａ，９２５ｂ及び９２５ｃの少なくとも１つが光ケーブル９０５ａ，９０５ｂ及び９０５ｃへ提供されないように、第２の光モジュール９２５ａ，９２５ｂ及び９２５ｃの少なくとも１つを無効にすることができる。
【００７０】
図９に示されるように、インターロック９３５は、通信経路９７０ａ，９７０ｂ及び９７０ｃ（一括して通信経路９７０として示され、通常は１つの通信経路９７０として示される）を通じて第２の光モジュール９２５ａ，９２５ｂ及び９２５ｃと通信する。
【００７１】
いくつかの実施では、インターロック９３５は、センサ９３０が、送信された第１の波長９１０ａ’，９１０ｂ’及び９１０ｃ’の一又はそれ以上を検出しないとき、第２の光モジュール９２５ａ，９２５ｂ及び９２５ｃの全てを無効にする。他の実施では、センサ９３０は、送信された第１の波長９１０ａ’，９１０ｂ’及び９１０ｃ’を区別することが可能であり、送信された第１の波長９１０ａ’，９１０ｂ’及び９１０ｃ’の一又はそれ以上が検出されないことを判定することができる。これらの実施では、インターロック９３５は、センサ９３０が検出されない一又はそれ以上の送信された第１の波長９１０ａ’，９１０ｂ’及び９１０ｃ’と関連付けられる一又はそれ以上の第２の光モジュール９２５ａ，９２５ｂ及び９２５ｃを無効にすることが可能である。例えば、いくつかの実施では、センサ９３０は、センサ９３０が検出されない一又はそれ以上の送信された第１の波長９１０ａ’，９１０ｂ’及び９１０ｃ’を示すインターロック９３５へデータ（図示せず）を送信することが可能である。
【００７２】
いくつかの実施によれば、センサ９３０は、送信された第１の波長９１０’の全体強度が、送信された第１の波長９１０ａ’，９１０ｂ’及び９１０ｃ’の組み合わせの閾値強度（例えば、所定の又は期待される強度のレベル）を下回るときに、第１の波長９１０’を検出しない。いくつかの実施によれば、センサ９３０は、送信された第１の波長９１０ａ’，９１０ｂ’及び９１０ｃ’の一又はそれ以上がセンサ９３０により受信されない及び／又は各光ケーブル９０５ａ，９０５ｂ，９０５ｃにより送信されないときに、送信された第１の波長９１０’を検出しない。
【００７３】
例えば、光ケーブル９０５ａの破損（例えば、一又はそれ以上の光ファイバの破損）の場合には、第１の波長９１０ｂの光の一部は、送信された第１の波長９１０ｂ’として光ケーブル９０５ｂにより送信されてもよい。この場合、送信された第１の波長９１０ｂ’の全体強度は、第１の波長９１０の初期強度よりも低い。しかし、送信された第１の波長９１０’は、依然として、センサ９３０へ検出される。これらは最適な動作条件ではないため、このような状況では、第２の光モジュール９２５を無効にするためにインターロック９３５を連動することが望まれうる。インターロック９３５が第２の光モジュール９３５を無効及び／又は有効にするために、送信された第１の波長９１０’を検出しないセンサ９３０の閾値（例えば、最小）強度を実現することは、最適でない、危険な条件での光モジュールシステム全体の動作に対する追加の安全確認を提供することができる。いくつかの実施によれば、インターロック９３５及びセンサ１３０のいずれか又は両方は、閾値強度値を記憶することが可能であり、送信された第１の波長９１０’を、記憶された閾値強度値と比較することが。いくつかの実施によれば、インターロック１３５は、送信された第１の波長９１０’の強度が閾値強度を下回る場合に、第２の光モジュール９２５の一又はそれ以上を無効にすることができる。
【００７４】
図９は、３つの光ケーブル、第１の光モジュール及び第２の光モジュールのみを示すが、それぞれ３つの光ケーブル、第１の光モジュール及び第２の光モジュールよりも多いものを含む一又はそれ以上の光ケーブル、第１の光モジュール及び第２の光モジュールが検討される。例えば、いくつかの実施は、２つの光ケーブルを含むが、他の実施は、４又はそれ以上の光ケーブルを含む。
【００７５】
さらに、光モジュールインターロックシステム８００でのように、追加の光構成要素は、説明された光モジュールインターロックシステムの一部として採用されうる。例えば、少なくとも１つのインテグレータ（図８に示されるインテグレータ８６５と同様）は、送信された第２の波長９１５ａ’，９１５ｂ’及び９１５ｃ’の光を均一にするために、第１の光モジュール９２０ａ，９２０ｂ，９２０ｃと光ケーブル９０５ａ，９０５ｂ，９０５ｃとの間に位置付けられうる。いくつかの実施によれば、送信された第２の波長９１５ａ’，９１５ｂ’及び９１５ｃ’の各々１つのための各インテグレータは、少なくとも１つの各送信された第２の波長９１５’の光を均一にすることが可能である。いくつかの実施によれば、１つのインテグレータは、各送信された波長９１５ａ’，９１５ｂ’及び９１５ｃ’の光を均一にすることが可能である。例えば、一又はそれ以上のミラーは、送信された波長９１５ａ’，９１５ｂ’及び９１５ｃ’の一又はそれ以上をインテグレータへ向けることが可能である。
【００７６】
次に、図１０に着目すると、図１０は、制限されない実施に係る光モジュールインターロックシステム１０００を示し、図１と同様の符号を有する構成要素を含み、しかし、始まりの数字が“１”ではなく“１０”である。例えば、光モジュールインターロックシステム１０００は、センサ１３０と同様のセンサ１０３０を含む。光モジュールインターロックシステム１０００は、さらに、光ケーブル１００５ａ，１００５ｂ，１００５ｃ（一括して光モジュール１００５として示され、通常は１つの光モジュール１００５として示される）、第１の光モジュール１０２０ａ，１０２０ｂ及び１０２０ｃ（一括して第１の光モジュール１０２０として示され、通常は１つの第１の光モジュール１０２０として示される）、第２の光モジュール１０２５ａ，１０２５ｂ及び１０２５ｃ（一括して第２の光モジュール１０２５として示され、通常は１つの第１の光モジュール１０２５として示される）、センサ１０３０及びインターロック１０３５を含む。インターロック１０３５は、通信経路１０４０を通じてセンサ１０３０と通信し、通信経路１０７０ａ，１０７０ｂ及び１０７０ｃ（一括して通信経路１０７０として示され、通常は１つの通信経路１０７０として示される）を通じて第２の光モジュール１０２５ａ，１０２５ｂ及び１０２５ｃと通信する。
【００７７】
第１の光モジュール１０２０ａ，１０２０ｂ及び１０２０ｃは、各第１の波長１０１０ａ，１０１０ｂ及び１０１０ｃの光を各光ケーブル１００５ａ，１００５ｂ，１００５ｃへ提供することが可能である。各第１の波長１０１０ａ，１０１０ｂ，１０１０ｃは、以下では、総称して第１の波長１０１０として区別しないで示される。第２の光モジュール１０２５ａ，１０２５ｂ及び１０２５ｃは、各第１の波長１０１０ａ，１０１０ｂ及び１０１０ｃとは異なる各波長（各波長１０１５ａ，１０１５ｂ及び１０１５ｃとして示される）の光を少なくとも各光ケーブル１００５ａ，１００５ｂ及び１００５ｃへ提供することが可能である。同様に、各第２の波長１０１５ａ，１０１５ｂ，１０１５ｃは、以下では、総称して第１の波長１０１５として区別しないで示される。
【００７８】
光モジュールインターロックシステム１０００では、ミラー１０５０は、通常、第２の光モジュール１０２５との光ケーブル１００５の同一端に位置付けられる。ミラー１０５０は、各送信された第１の波長１０１０’（送信された第１の波長１０１０ａ’，１０１０ｂ’及び１０１０ｃ’として個別に示される）及び第２の波長１０１５を分離することが可能であり、各送信された第１の波長１０１０ａ’，１０１０ｂ’及び１０１０ｃ’をセンサ１０３０へ向けることが可能である。例えば、ミラー１０５０は、各第２の波長１０１５ａ，１０１５ｂ，１０１５ｃを送信することが可能であり、各送信された第１の波長１０１０ａ’，１０１０ｂ’及び１０１０ｃ’を反射することが可能である。いくつかの実施によれば、１位上のミラーは、各波長及び送信された波長を分離、送信及び方向付けることが可能である。
【００７９】
上述したように、送信された第２の波長１０１５’（送信された第２の波長１０１５ａ’，１０１５ｂ’及び１０１５ｃ’として個別に示される）は、いくつかの実施では、東映光学素子へ方向付けることが可能である。
【００８０】
次に、図１１に着目すると、図１１は、制限されない実施に係る光モジュールインターロックシステム１１００を示し、図１と同様の符号を有する構成要素を含み、しかし、始まりの数字が“１”ではなく“１１”である。例えば、光モジュールインターロックシステム１１００は、インターロック１３５と同様のインターロック１１３５を含む。光モジュールインターロックシステム１１００は、さらに、光ケーブル１１０５ａ，１１０５ｂ，１１０５ｃ（一括して光モジュール１１０５として示され、通常は１つの光モジュール１１０５として示される）、第１の光モジュール１１２０ａ，１１２０ｂ，１１２０ｃ（一括して第１の光モジュール１１２０として示され、通常は１つの第１の光モジュール１１２０として示される）、第２の光モジュール１１２５ａ，１１２５ｂ，１１２５ｃ（一括して第２の光モジュール１１２５として示され、通常は１つの第１の光モジュール１１２５として示される）、センサ１１３０ａ，１１３０ｂ，１１３０ｃ（一括してセンサ１１３０として示され、通常は１つのセンサ１１３０として示される）及びインターロック１１３５を含む。インターロック１１３５は、通信経路１１４０ａ，１１４０ｂ，１１４０ｃ（一括して通信経路１１４０として示され、通常は１つの通信経路１１４０として示される）を通じてセンサ１１３０ａ，１１３０ｂ，１１３０ｃと通信し、通信経路１１７０ａ，１１７０ｂ及び１１７０ｃ（一括して通信経路１１７０として示され、通常は１つの通信経路１１７０として示される）を通じて第２の光モジュール１１２５ａ，１１２５ｂ及び１１２５ｃと通信する。
【００８１】
光モジュールインターロックシステム１１００では、光ケーブル１１０５は、各第１の波長１１１０ａ，１１１０ｂ及び１１１０ｃの光及び各第１の波長１１１０ａ，１１１０ｂ及び１１１０ｃとは異なる波長（各第２の波長１１１５ａ，１１１５ｂ及び１１１５ｃと示される）の光を送信することが可能である。各第１の波長１１１０ａ，１１１０ｂ及び１１１０ｃは、以下では、総称して第１の波長１１１０として区別しないで示される。同様に、各第２の波長１１１５ａ，１１１５ｂ，１１１５ｃは、以下では、総称して第２の波長１１１５として区別しないで示される。
【００８２】
第１の光モジュール１１２０ａ，１１２０ｂ及び１１２０ｃは、各第１の波長１１１０ａ，１１１０ｂ及び１１１０ｃを少なくとも各光ケーブル１１０５ａ，１１０５ｂ及び１１０５ｃへ提供することが可能である。第２の光モジュール１１２５ａ，１１２５ｂ及び１１２５ｃは、各第２の波長１１１５ａ，１１１５ｂ及び１１１５ｃを少なくとも各光ケーブル１１０５ａ，１１０５ｂ及び１１０５ｃの少なくとも関連付けられる光ケーブルへ提供することが可能である。
【００８３】
センサ１１３０ａ，１１３０ｂ及び１１３０ｃは、各光ケーブル１１０５ａ，１１０５ｂ及び１１０５ｃの一又はそれ以上から、各送信された第１の波長１１１０ａ’，１１１０ｂ’及び１１１０ｃ’を検出することが可能である。いくつかの実施によれば、センサ１１３０ａ，１１３０ｂ及び１１３０ｃは、各送信された第１の波長１１１０ａ’，１１１０ｂ’及び１１１０ｃ’を検出することが可能である。いくつかの実施によれば、センサ１１３０ａ，１１３０ｂ及び１１３０ｃは、各送信された第１の波長１１１０ａ’，１１１０ｂ’及び１１１０ｃ’をそれぞれ検出することが可能である。
【００８４】
インターロック１１３５は、センサ１１３０ａ，１１３０ｂ及び１１３０ｃの少なくとも１つが、各送信された第１の波長１１１０ａ’，１１１０ｂ’及び１１１０ｃ’を検出しないとき、各第２の波長１１１５ａ，１１１５ｂ及び１１１５ｃの少なくとも１つが、光ケーブル１１０５ａ，１１０５ｂ及び１１０５ｃの少なくとも１つへ提供されないように、第２の光モジュール１１２５ａ，１１２５ｂ及び１１２５ｃの少なくとも１つを無効にすることができる。例えば、いくつかの実施によれば、センサ１１３０ｂが、各送信された第１の波長１１１０ｂ’を検出しない場合、インターロック１１３５は、第２の光モジュール１１２５ｂのみを無効にすることができる、又はインターロック１１３５は、第２の光モジュール１１２５ａ及び／又は第２の光モジュール１１２５ｃも無効にすることができる。例えば、いくつかの関連する実施によれば、センサ１１３０ｂは、送信された第１の波長１１１０ｂ’を検出しないことを示すデータ（図示せず）をインターロック１１３５へ送信し、インターロック１１３５が、上述したように無効にするために第２の光モジュール１１２５ｂを特に識別することを可能にする。
【００８５】
次に、図１２に着目すると、図１２は、制限されない実施に係る光モジュールインターロックシステム１２００を示し、図１と同様の符号を有する構成要素を含み、しかし、始まりの数字が“１”ではなく“１２”である。例えば、光モジュールインターロックシステム１２００は、光ケーブル１２０５ａ，１２０５ｂ，１２０５ｃ（一括して光ケーブル１２０５として示され、通常は１つの光モジュール１２０５として示される）を含む。光モジュールインターロックシステム１２００は、さらに、第１の光モジュール１２２０ａ，１２２０ｂ，１２２０ｃ（一括して第１の光モジュール１２２０として示され、通常は１つの第１の光モジュール１２２０として示される）、第２の光モジュール１２２５ａ，１２２５ｂ，１２２５ｃ（一括して第２の光モジュール１２２５として示され、通常は１つの第１の光モジュール１２２５として示される）、センサ１２３０ａ，１２３０ｂ，１２３０ｃ（一括してセンサ１２３０として示され、通常は１つのセンサ１２３０として示される）及びインターロック１２３５ａ，１２３５ｂ，１２３５ｃ（一括してインターロック１２３５として示され、通常は１つのインターロック１２３５として示される）を含む。インターロック１２３５ａ，１２３５ｂ，１２３５ｃは、通信経路１２４０ａ，１２４０ｂ及び１２４０ｃ（一括して通信経路１２４０として示され、通常は１つの通信経路１２４０として示される）を通じてセンサ１２３０ａ，１２３０ｂ，１２３０ｃと通信し、通信経路１２７０ａ，１２７０ｂ及び１２７０ｃ（一括して通信経路１２７０として示され、通常は１つの通信経路１２７０として示される）を通じて第２の光モジュール１２２５ａ，１２２５ｂ及び１２２５ｃと通信する。
【００８６】
光モジュールインターロックシステム１２００では、光ケーブル１２０５ａ，１２０５ｂ，１２０５ｃは、各第１の波長１２１０ａ，１２１０ｂ，１２１０ｃの光及び各第１の波長１２１０ａ，１２１０ｂ，１２１０ｃとは異なる波長（各第２の波長１２１５ａ，１２１５ｂ及び１２１５ｃ）の光を送信することが可能である。各第１の波長１２１０ａ，１２１０ｂ，１２１０ｃは、以下では、総称して第１の波長１２１０として区別しないで示される。同様に、各第２の波長１２１５ａ，１２１５ｂ，１２１５ｃは、以下では、総称して第２の波長１２１５として区別しないで示される。
【００８７】
第１の光モジュール１２２０ａ，１２２０ｂ及び１２２０ｃは、各第１の波長１２１０ａ，１２１０ｂ，１２１０ｃを少なくとも各光ケーブル１２０５ａ，１２０５ｂ，１２０５ｃへ提供することが可能である。第２の光モジュール１２２５ａ，１２２５ｂ及び１２２５ｃは、各第２の波長１２１５ａ，１２１５ｂ，１２１５ｃを光ケーブル１２０５ａ，１２０５ｂ，１２０５ｃの少なくとも関連する光ケーブルへ提供することが可能である。
【００８８】
センサ１２３０ａ，１２３０ｂ及び１２３０ｃは、光ケーブル１２０５ａ，１２０５ｂ，１２０５ｃの一又はそれ以上から、各送信された第１の波長１２１０ａ’，１２１０ｂ’及び１２１０ｃ’を検出することが可能である。いくつかの実施によれば、センサ１２３０ａ，１２３０ｂ及び１２３０ｃは、各送信された第１の波長１２１０ａ’，１２１０ｂ’及び１２１０ｃ’を検出することが可能である。いくつかの実施によれば、センサ１２３０ａ，１２３０ｂ及び１２３０ｃは、各送信された第１の波長１２１０ａ’，１２１０ｂ’及び１２１０ｃ’をそれぞれ検出することが可能である。
【００８９】
センサ１２３０ａ，１２３０ｂ及び１２３０ｃと通信し、かつ一対一の関係を有するインターロック１２３５ａ，１２３５ｂ及び１２３５ｃは、センサ１２３０ａ，１２３０ｂ及び１２３０ｃの少なくとも１つが、各送信された第１の波長１２１０ａ’，１２１０ｂ’，１２１０ｃ’を検出しないとき、各第２の波長１２１５ａ，１２１５ｂ，１２１５ｃの少なくとも１つが、光ケーブル１２０５ａ，１２０５ｂ及び１２０５ｃの少なくとも１つへ提供されないように、第２の光モジュール１２２５ａ，１２２５ｂ及び１２２５ｃの少なくとも１つを無効にすることが可能である。
【００９０】
いくつかの実施によれば、センサ１２３０ａ，１２３０ｂ及び１２３０ｃの１つが、光ケーブル１２０５ａ，１２０５ｂ及び１２０５ｃの各光ケーブルから、各送信された第１の波長１２１０ａ’，１２１０ｂ’，１２１０ｃ’を検出しないとき、インターロック１２３５ａ，１２３５ｂ及び１２３５ｃの関連する１つは、第２の波長１２１５ａ，１２１５ｂ，１２１５ｃの各第２の波長が、光ケーブル１２０５ａ，１２０５ｂ及び１２０５ｃの関連付けられた光ケーブルへ提供されないように、第２の光モジュール１２２５ａ，１２２５ｂ及び１２２５ｃの関連する１つを無効にする。
【００９１】
例えば、センサ１２３０ａが、各送信された第１の波長１２１０ａ’を検出しない場合には、センサ１２３０ａと関連付けられたインターロック１２３５ａは、第２の波長１２１５ａが光ケーブル１２０５ａへ提供されないように、インターロック１２３５ａと関連付けられた第２の光モジュール１２２５ａを無効にする。この例では、インターロック１２３５ｂ及び１２３５ｃのいずれも、関連付けられた第２のセンサ１２３０ｂ及び１２３０ｃが各送信された第１の波長１２１０ｂ’及び１２１０ｃ’が検出できないときまで、関連付けられた第２の光モジュール１２２５ｂ及び１２２５ｃを無効にしない。
【００９２】
当業者は、さらなる別の実施及び変更が可能であり、上記の例は、一又はそれ以上の実施の実例であることを理解するであろう。したがって、本発明の範囲は、添付の特許請求の範囲によってのみ制限される。
【図１】
2014096580.tif 000003
【図２】
2014096580.tif 000004
【図３】
2014096580.tif 000005
【図４】
2014096580.tif 000006
【図５】
2014096580.tif 000007
【図６】
2014096580.tif 000008
【図７】
2014096580.tif 000009
【図８】
2014096580.tif 000010
【図９】
2014096580.tif 000011
【図１０】
2014096580.tif 000012
【図１１】
2014096580.tif 000013
【図１２】
2014096580.tif 000014
【外国語明細書】
2014096580000001.pdf
2014096580000002.pdf
2014096580000003.pdf
2014096580000004.pdf